(57)【要約】【課題】負荷増大時でも円滑な運転を可能とするシート材細断装置を提供することを目的とする。【解決手段】両方の軸端側でそれぞれの支持部材４，４によって回転自在に支持される二つの軸体７，８に、互いに噛み合う回転カッタ１０がそれぞれ多数取り付けられ、一方の軸体８が駆動源から回転力を受け、該一方の軸体８に設けられた歯車１２と他方の軸体７に設けられた歯車１１との噛合によって回転力を他方の軸体に伝達するシート材細断装置において、二つの軸体７，８間で噛合するそれぞれの歯車１１，１２は両軸端部に設けられている。【選択図】  図１
2004216469.tif 000002
【特許請求の範囲】
【請求項１】
両方の軸端側でそれぞれの支持部材によって回転自在に支持される二つの軸体に、互いに噛み合う回転カッタがそれぞれ多数取り付けられ、一方の軸体が駆動源から回転力を受け、該一方の軸体に設けられた歯車と他方の軸体に設けられた歯車との噛合によって回転力を他方の軸体に伝達するシート材細断装置において、二つの軸体間で噛合するそれぞれの歯車は両軸端部に設けられていることを特徴とするシート材細断装置。
【発明の詳細な説明】
【０００１】
【発明の属する技術分野】
本発明はシート材細断装置に関する。
【０００２】
【従来の技術】
文書等の紙葉類の守秘処分のため、あるいはこの文書そして段ボール等の比較的厚手のものをもコンパクトに袋体に収めて処分するために、これら文書等そして段ボール等（以下「シート材」という）を細断することが行われる。この細断には、例えば、文書細断装置が用いられることが多い。文書細断装置は、大型のもとなると、多数頁から成る小冊子を一度に細断したりあるいは厚手の段ボール、プラスチックシート等も細断可能である。
【０００３】
文書細断装置は、一対の回転軸体にそれぞれ噛み合う回転カッタを多数取り付け、一方の軸体へ減速装置を介して駆動モータから回転力を与え、両軸体に設けられた噛合歯車を介して、上記回転力を他方の軸体へも伝達している。紙葉類は、上記二つの軸体の回転カッタにより細断される。
【０００４】
このような装置は、例えば、特許文献１に開示されている。この特許文献１に示される文書細断装置では、一方の軸体から他方の軸体へ回転力を伝える噛合歯車は、片方の軸端に設けられている。
【０００５】
通常、このような二つの軸体は、両端のそれぞれで板状の支持部材にて軸受により回転自在に支持されている。
【０００６】
【特許文献１】特開２００２−１８３０２（図１，２）
【０００７】
【発明が解決しようとする課題】
しかしながら、この特許文献１のような形式の文書細断装置では、軸線方向で片方の支持部材に対し、反対側の支持部材がひねられるために種々の不具合をもたらす。
【０００８】
先ず、ひねりの原因について説明すると、二つの軸体には片方の軸端で噛合歯車間の反力がそのまま作用するので、軸線に対し直角で互いに反対方向に変位しようとする力を支持部材にも伝達し、反対側の軸端では噛合歯車が存在しないので、そのような力は支持部材には作用せず、したがって片方の支持部材が反対側の支持部材に対して、軸線に直角な面で回転しようとし、これが相対的にひねりをもたらし、二軸体は当初の平行状態を維持できなくなる。特に、多数枚の文書を一度に細断しようとするとき、歯車には大きなトルクが作用するので、上記反力も大きく、上記ひねりが強く生ずる。
【０００９】
このようなひねりが生ずると、隣接する回転カッタ同士のかじり損傷、回転カッタ間の不適正クリアランスによる細断の不安定化、パワーロスによる細断能力の低下、細断時の騒音等、種々の不具合が起きる。
【００１０】
本発明は、二つの支持部材間に相対的なひねりを生ずることなく、安定して良好な細断ができるシート材細断装置を提供することを目的とする。
【００１１】
【課題を解決するための手段】
本発明に係るシート材細断装置は、両方の軸端側でそれぞれの支持部材によって回転自在に支持される二つの軸体に、互いに噛み合う回転カッタがそれぞれ多数取り付けられ、一方の軸体が駆動源から回転力を受け、該一方の軸体に設けられた歯車と他方の軸体に設けられた歯車との噛合によって回転力を他方の軸体に伝達する。
【００１２】
かかるシート材細断装置において、本発明では、二つの軸体間で噛合するそれぞれの歯車は両軸端部に設けられていることを特徴としている。
【００１３】
このような構成の本発明のシート材細断装置にあっては、シート材が投入されて細断されると、その負荷に応じて軸体は歯車から反力を受けて、これによって、支持部材は無負荷時の位置に対してひねりを受けて変位しようとする。しかし、上記反力は、本発明では歯車が両軸端に設けられているため、従来の一方の軸端にのみ設けられている場合に比し、半分となる。しかも、この反力によるひねりは、両軸端側の支持部材で同じく生ずるので、両支持部材は相対的にはひねられないこととなる。したがって、二つの軸体は当初の平行状態が確実に維持される。
【００１４】
【発明の実施の形態】
以下、添付図面にもとづき、本発明の一実施形態を説明する。
【００１５】
図１は、本実施形態装置の平面図であり、図２（Ａ）はその左側面図、図２（Ｂ）は右側面図である。図１装置は細断機構ユニットであり、このユニットは、細断されるべきシート材の投入口そして細断後のチップを収容せる収容箱を取り出せる取出口が設けられた、筺体（図示せず）内に収められた状態で該筺体へ取り付けられるようになっている。
【００１６】
図において、符号１は細断機構ユニットのベースとなる取付基板であって、該ユニットはこの取付基板１でシート材細断装置の箱状筺体内に取り付けられる。該取付基板１の中央部には、シート材が細断されて成るチップを貫通落下せしめる開口部２が形成されている。
【００１７】
上記取付基板１には、上記開口部２の両端縁近傍に、緩衝部材３を介して、板状の支持部材４，４が上記取付基板１の面に対して直角に取り付けられている。上記支持部材４，４には、それぞれ所定間をもって二つの軸受５，５；６，６が配設され、該軸受５，５；６，６により二つの軸体７，８が平行状態で回転自在に支持されている。
【００１８】
上記二つの軸体７，８には、それぞれスペーサ９を介して多数の回転カッタ１０が定間隔で取り付けられており、両軸体７，８の回転カッタ同士がそれらの側面で噛み合っており、側面縁部でシート材を剪断するようになっている。この機構は、一般の文書細断装置と同じであり、本発明の主眼とするところではないので、これ以上の説明は省略する。
【００１９】
両軸体７，８は、支持部材４，４を貫通せる両軸端に互いに噛合する歯車１１，１２が設けられている。すなわち、両軸体７，８間では、両軸端側で回転力が伝達される。
【００２０】
一方の軸体８には、さらに、歯車１３が設けられており、上記支持部材４に取り付けられたモータ付減速機１４の軸体１５の歯車１６と噛合しており、上記軸体８は該歯車１６と上記歯車１３を介して駆動力を受けて回転する。
【００２１】
このような構成の本実施形態装置では、駆動される一方の軸体８はその両軸端にて歯車１２，１２そして歯車１１，１１を介して回転力を他方の軸体９に伝達し、両軸体８，７の回転カッタ１０を互いに噛合状態で回転させる。このとき、シート材が投入されると、両軸体８，７の回転カッタ１０にはシート材の細断により負荷が増大し、歯車１２，１１間の反力も大きくなる。この反力は軸受６，５を介して支持部材４，４に伝達される。しかし、この反力自体が、従来の一方の軸端での歯車による回転力の伝達の場合に比べ、両軸端で均等に負担するので半分になり、しかも、その反力により生ずる軸線まわりでの両支持部材４，４のひねりが相等しいので、結果的に両支持部材４，４には相対的にひねりは生じない。したがって、両軸体は負荷の増減に係りなく、常に正規の平行位置を保つ。その結果、円滑な運転、細断能力の維持、低騒音運転が可能となる。
【００２２】
本発明は、文書細断機の場合、多数枚の紙葉類を一度に細断する大型なものに有効である。また、細断されるものはかかる文書だけでなく、段ボール、プラスチックシート等の厚手のものを対象としてもよい。
【００２３】
【発明の効果】
本発明は、以上のように、回転カッタが設けられた二つの軸体が両軸端での歯車噛合によって回転力の授受を行なうようにしたので、歯車の反力が半分となると共に両端での条件に差異がなくなり、両軸体を両端で支持する両支持部材間での相対ひねりが生じない。したがって、二軸体は、設定された平行状態を維持し、円滑な運転を確保する。
【図面の簡単な説明】
【図１】本発明の一実施形態としてのシート材細断装置の要部を示す平面図である。
【図２】図１のものの側面を示し、図２（Ａ）は左側面図、図２（Ｂ）は右側面図である。
【符号の説明】
４  支持部材
７  軸体
８  軸体
１０  回転カッタ
１１  歯車
１２  歯車
【図１】
2004216469.tif 000003
【図２】
2004216469.tif 000004